(57)【要約】【課題】リップル電圧を負荷回路の許容範囲に応じて調節することが容易なＤＣ／ＤＣコンバーター用回路モジュール及びＤＣ／ＤＣコンバーターを提供する。【解決手段】外部から入力された入力電圧Ｖｉｎをスイッチングするスイッチング部ＳＷと、出力電圧Ｖｏｕｔを検出する電圧検出部２１と、スイッチング部ＳＷを周期的にオン、オフさせてスイッチング部ＳＷにスイッチングを行わせるスイッチング処理と、スイッチング処理の実行中に出力電圧Ｖｏｕｔが上側基準電圧Ｖｕｐｐｅｒを超えたとき、スイッチング部ＳＷをオフさせてスイッチング処理を停止する停止処理とを含むＰＦＭモードを実行するスイッチング制御部２２と、上側基準電圧Ｖｕｐｐｅｒの設定を受け付ける接続端子２０１，２０２とを備えるＤＣ／ＤＣコンバーター用回路モジュール。【選択図】図１
2014217164.tif 000002
【特許請求の範囲】
【請求項１】
外部から入力された入力電圧をスイッチングして平滑回路へ供給し、前記平滑回路により前記スイッチングされた入力電圧を平滑させることによって、前記平滑回路に出力電圧を生成させるＤＣ／ＤＣコンバーター用回路モジュールであって、
オンすることにより前記入力電圧を前記平滑回路へ供給し、オフすることにより前記入力電圧の前記平滑回路への供給を遮断することにより前記スイッチングを行うスイッチング部と、
前記出力電圧を検出する電圧検出部と、
前記スイッチング部を周期的にオン、オフさせて前記スイッチング部に前記スイッチングを行わせるスイッチング処理と、前記スイッチング処理の実行中に前記出力電圧が所定の上側基準電圧を超えたとき、前記スイッチング部をオフさせて前記スイッチング処理を停止する停止処理とを含む第１スイッチングモードを実行するスイッチング制御部と、
前記上側基準電圧の設定を受け付ける設定受付部とを備えるＤＣ／ＤＣコンバーター用回路モジュール。
【請求項２】
前記第１スイッチングモードは、さらに、
前記停止処理による前記スイッチング処理の停止期間中に前記出力電圧が予め設定されたオン基準電圧を下回ったとき前記スイッチング処理を開始する開始処理をさらに含む請求項１記載のＤＣ／ＤＣコンバーター用回路モジュール。
【請求項３】
前記スイッチング制御部は、さらに、
前記スイッチング部を、前記電圧検出部によって検出された前記出力電圧に応じたデューティ比で周期的にオン、オフさせる第２スイッチングモードを実行する請求項２記載のＤＣ／ＤＣコンバーター用回路モジュール。
【請求項４】
前記スイッチング制御部は、
前記第１スイッチングモードの実行中に前記出力電圧が前記オン基準電圧より低い下側基準電圧を下回ったとき前記第１スイッチングモードの実行を停止し、前記第２スイッチングモードの実行を開始する請求項３記載のＤＣ／ＤＣコンバーター用回路モジュール。
【請求項５】
前記スイッチング部から前記平滑回路へ流れる電流を検出する電流検出部をさらに備え、
前記スイッチング制御部は、
前記第２スイッチングモードの実行中に前記電流検出部によって検出された電流が予め設定された閾値電流を下回ったとき、前記第２スイッチングモードの実行を停止して前記第１スイッチングモードの実行を開始する請求項３又は４に記載のＤＣ／ＤＣコンバーター用回路モジュール。
【請求項６】
前記設定受付部は、
抵抗を接続可能な接続端子を含み、前記接続端子に接続された抵抗の抵抗値に応じて、前記上側基準電圧の設定を受け付ける請求項１〜５のいずれか１項に記載のＤＣ／ＤＣコンバーター用回路モジュール。
【請求項７】
請求項１〜６のいずれか１項に記載のＤＣ／ＤＣコンバーター用回路モジュールと、
前記平滑回路とを備えるＤＣ／ＤＣコンバーター。
【発明の詳細な説明】
【技術分野】
【０００１】
本発明は、直流電圧を変換するＤＣ／ＤＣコンバーター、及びＤＣ／ＤＣコンバーターに用いられるＤＣ／ＤＣコンバーター用回路モジュールに関する。
【背景技術】
【０００２】
入力電圧を降圧する降圧形のＤＣ／ＤＣコンバーターとして、入力電圧を所定のスイッチング周波数でスイッチングすることによって生じたパルス電圧を平滑回路で平滑することによって、出力電圧に変換する方式のものが知られている。また、入力電圧のスイッチング回路を、集積回路に集積したり、ハイブリッドＩＣ化したりして構成されたＤＣ／ＤＣコンバーター用回路モジュールが知られている。このようなＤＣ／ＤＣコンバーター用回路モジュールは、外部に平滑回路を接続することによって、全体としてＤＣ／ＤＣコンバーターとして機能する。
【０００３】
上述のように、入力電圧をパルス電圧に変換し、そのパルス電圧を平滑回路で平滑することによって出力電圧に変換するＤＣ／ＤＣコンバーターは、平滑回路に用いられるコンデンサが劣化して容量が減少すると、パルス電圧を充分に平滑することができなくなる。そのためリップル電圧が増大する。そこで、平滑後の出力電圧に含まれるリップル電圧を検出し、リップル電圧が基準値を超えたとき、スイッチング周波数を増大させることによって平滑回路から出力される出力電圧のリップル電圧を低減する技術が知られている（例えば、特許文献１参照）。
【先行技術文献】
【特許文献】
【０００４】
【特許文献１】特開２０００−３５０４４８号公報
【発明の概要】
【発明が解決しようとする課題】
【０００５】
しかしながら、ＤＣ／ＤＣコンバーターのスイッチング周波数を増大させると、スイッチングの頻度が増加する。スイッチング素子は、電流をスイッチングするタイミングで損失を発生するので、スイッチングの頻度が増加するとスイッチング損失が増大し、ＤＣ／ＤＣコンバーターの電圧変換効率が低下する。
【０００６】
一方、ＤＣ／ＤＣコンバーターのリップル電圧は、必ずしも常に問題になるわけではない。ＤＣ／ＤＣコンバーターから出力電圧の供給を受ける負荷回路の許容範囲内であれば、ＤＣ／ＤＣコンバーターの出力電圧にリップル電圧が含まれていても問題はない。そのため、ＤＣ／ＤＣコンバーターを機器に組み込んで利用する機器設計者等のユーザーには、ＤＣ／ＤＣコンバーターの出力電圧に含まれるリップル電圧を、負荷回路の許容範囲に応じて調節したいというニーズがある。
【０００７】
本発明の目的は、ＤＣ／ＤＣコンバーターの出力電圧に含まれるリップル電圧を、負荷回路の許容範囲に応じて調節することが容易なＤＣ／ＤＣコンバーター用回路モジュール、及びＤＣ／ＤＣコンバーターを提供することである。
【課題を解決するための手段】
【０００８】
本発明に係るＤＣ／ＤＣコンバーター用回路モジュールは、外部から入力された入力電圧をスイッチングして平滑回路へ供給し、前記平滑回路により前記スイッチングされた入力電圧を平滑させることによって、前記平滑回路に出力電圧を生成させるＤＣ／ＤＣコンバーター用回路モジュールであって、オンすることにより前記入力電圧を前記平滑回路へ供給し、オフすることにより前記入力電圧の前記平滑回路への供給を遮断することにより前記スイッチングを行うスイッチング部と、前記出力電圧を検出する電圧検出部と、前記スイッチング部を周期的にオン、オフさせて前記スイッチング部に前記スイッチングを行わせるスイッチング処理と、前記スイッチング処理の実行中に前記出力電圧が所定の上側基準電圧を超えたとき、前記スイッチング部をオフさせて前記スイッチング処理を停止する停止処理とを含む第１スイッチングモードを実行するスイッチング制御部と、前記上側基準電圧の設定を受け付ける設定受付部とを備える。
【０００９】
この構成によれば、外部から入力された入力電圧が、スイッチング部によってスイッチングされて平滑回路へ供給される。スイッチングされた入力電圧は、平滑回路で平滑される。これにより、出力電圧が生成される。生成された出力電圧は、電圧検出部によって検出される。スイッチング制御部は、スイッチング処理と停止処理とを含む第１スイッチングモードを実行する。スイッチング処理では、スイッチング部が周期的にオン、オフされ、スイッチングされた入力電圧が平滑回路で平滑されて出力電圧が生成される。また、設定受付部によって、上側基準電圧の設定が受け付けられる。そして、スイッチング処理の実行中に出力電圧が上側基準電圧を超えたとき、スイッチング部がオフされてスイッチング処理が停止し、出力電圧が低下する。これにより、出力電圧に含まれるリップル電圧が上側基準電圧に基づき制限される。この場合、ユーザーが負荷回路の許容範囲に応じた上側基準電圧を設定受付部に設定することによって、出力電圧に含まれるリップル電圧が負荷回路の許容範囲に応じた電圧に調節される。従って、出力電圧に含まれるリップル電圧を、ユーザーが負荷回路の許容範囲に応じて調節することが容易となる。
【００１０】
また、前記第１スイッチングモードは、さらに、前記停止処理による前記スイッチング処理の停止期間中に前記出力電圧が予め設定されたオン基準電圧を下回ったとき前記スイッチング処理を開始する開始処理をさらに含むことが好ましい。
【００１１】
この構成によれば、第１スイッチングモードでは、スイッチング処理の停止期間中に出力電圧がオン基準電圧を下回ったとき、スイッチング処理が開始され、出力電圧が上昇する。これにより、出力電圧は、上側基準電圧とオン基準電圧とに基づき規定される一定の電圧範囲に維持される。また、出力電圧が、上側基準電圧を超えたときからオン基準電圧を下回るまでスイッチング処理が停止されるので、スイッチング処理によって生じる電力損失が低減される。このとき、上側基準電圧が高いほど、出力電圧が上側基準電圧を超えてからオン基準電圧を下回るまでにかかる時間が長くなる。従って、上側基準電圧が高いほどスイッチングの頻度が減少し、電力損失の低減効果が大きくなる。そして、上側基準電圧の設定を受け付ける設定受付部を備えているので、ユーザーは、リップル電圧が負荷回路の許容範囲内に収まる範囲内で、極力大きな上側基準電圧を設定することができる。その結果、出力電圧に含まれるリップル電圧を負荷回路の許容範囲内に制限しつつ、スイッチングの頻度を減少させることが容易となる。
【００１２】
また、前記スイッチング制御部は、さらに、前記スイッチング部を、前記電圧検出部によって検出された前記出力電圧に応じたデューティ比で周期的にオン、オフさせる第２スイッチングモードを実行することが好ましい。
【００１３】
この構成によれば、スイッチング制御部は、第２スイッチングモードにおいて、スイッチング部によるスイッチングのデューティ比を変化させることができる。従って、例えば負荷回路の消費電流に変化が生じて出力電圧が変動した場合であっても、スイッチング部をオン、オフさせるデューティ比を出力電圧に応じて変化させることによって、出力電圧を調節することが容易となる。
【００１４】
また、前記スイッチング制御部は、前記第１スイッチングモードの実行中に前記出力電圧が前記オン基準電圧より低い下側基準電圧を下回ったとき前記第１スイッチングモードの実行を停止し、前記第２スイッチングモードの実行を開始することが好ましい。
【００１５】
第１スイッチングモードの実行中に出力電圧がオン基準電圧を下回ると、スイッチング処理が開始される。しかしながら、負荷回路の消費電流が増大すると、スイッチング処理を開始しても出力電圧が上昇せずにさらに低下する場合がある。そこでこの構成によれば、第１スイッチングモードの実行中に出力電圧がオン基準電圧より低い下側基準電圧を下回ったとき、第１スイッチングモードの実行が停止され、第２スイッチングモードの実行が開始される。第２スイッチングモードでは、負荷回路の消費電流が増大して出力電圧が低下した場合であっても、スイッチング部をオン、オフさせるデューティ比を出力電圧に応じて変化させることによって、出力電圧を上昇させることが容易となる。
【００１６】
また、前記スイッチング部から前記平滑回路へ流れる電流を検出する電流検出部をさらに備え、前記スイッチング制御部は、前記第２スイッチングモードの実行中に前記電流検出部によって検出された電流が予め設定された閾値電流を下回ったとき、前記第２スイッチングモードの実行を停止して前記第１スイッチングモードの実行を開始することが好ましい。
【００１７】
負荷回路の消費電流が減少すると、スイッチング部から平滑回路へ流れる電流が減少する。このような場合に、第２スイッチングモードによってスイッチング部をオン、オフさせるデューティ比を変化させるのみでスイッチングの頻度を変化させないと、不必要なスイッチングにより電力損失が生じるおそれがある。そこでこの構成によれば、第２スイッチングモードの実行中にスイッチング部から平滑回路へ流れる電流が閾値電流を下回ったとき、第２スイッチングモードの実行が停止されて第１スイッチングモードの実行が開始される。第１スイッチングモードでは、スイッチング部から平滑回路へ流れる電流が減少すると、出力電圧が上側基準電圧を超えてからオン基準電圧を下回るまでにかかる時間が長くなり、スイッチング処理が停止されている時間が長くなる。その結果、スイッチング部から平滑回路へ流れる電流が減少するとスイッチングの頻度が減少するので、電力損失の低減効果が増大する。
【００１８】
また、前記設定受付部は、抵抗を接続可能な接続端子を含み、前記接続端子に接続された抵抗の抵抗値に応じて、前記上側基準電圧の設定を受け付けることが好ましい。
【００１９】
この構成によれば、ユーザーは、設定しようとする上側基準電圧に応じた抵抗値の抵抗を接続端子に接続することによって、上側基準電圧を設定することができるので、上側基準電圧の設定が容易となる。
【００２０】
また、本発明にかかるＤＣ／ＤＣコンバーターは、上述のＤＣ／ＤＣコンバーター用回路モジュールと、前記平滑回路とを備える。
【００２１】
この構成によれば、ＤＣ／ＤＣコンバーターの出力電圧に含まれるリップル電圧を、ユーザーが負荷回路の許容範囲に応じて調節することが容易となる。
【発明の効果】
【００２２】
このような構成のＤＣ／ＤＣコンバーター用回路モジュール、及びＤＣ／ＤＣコンバーターによれば、ユーザーが負荷回路の許容範囲に応じた上側基準電圧を設定受付部に設定することによって、出力電圧に含まれるリップル電圧が負荷回路の許容範囲に応じた電圧に調節される。従って、出力電圧に含まれるリップル電圧を、ユーザーが負荷回路の許容範囲に応じて調節することが容易となる。
【図面の簡単な説明】
【００２３】
【図１】本発明の一実施形態に係るＤＣ／ＤＣコンバーター用回路モジュールを用いたＤＣ／ＤＣコンバーターの構成の一例を示すブロック図である。
【図２】図１に示すＤＣ／ＤＣコンバーター用回路モジュール及びＤＣ／ＤＣコンバーターの動作を説明するためのタイミングチャートである。
【図３】上側基準電圧を上昇させることによりスイッチング間隔が広がることを説明するためのタイミングチャートである。
【発明を実施するための形態】
【００２４】
以下、本発明に係る実施形態を図面に基づいて説明する。なお、各図において同一の符号を付した構成は、同一の構成であることを示し、その説明を省略する。
【００２５】
図１は、本発明の一実施形態に係るＤＣ／ＤＣコンバーター用回路モジュールを用いたＤＣ／ＤＣコンバーターの構成の一例を示すブロック図である。図１に示すＤＣ／ＤＣコンバーター１は、ＤＣ／ＤＣコンバーター用回路モジュール２、平滑回路３、電圧設定用抵抗ＲＬＩＭ（抵抗）、及び分圧抵抗ＲＡ，ＲＢを備えている。
【００２６】
平滑回路３は、ＤＣ／ＤＣコンバーター用回路モジュール２から出力されたパルス電圧Ｖｐを平滑する。平滑回路３によってパルス電圧Ｖｐが平滑されて得られた電圧は、ＤＣ／ＤＣコンバーター１の出力電圧Ｖｏｕｔとして、ＤＣ／ＤＣコンバーター１の外部に接続された負荷回路４へ出力される。
【００２７】
平滑回路３は、例えばインダクタＬと、キャパシタＣとを備えている。インダクタＬの一端はＤＣ／ＤＣコンバーター用回路モジュール２に接続され、インダクタＬの他端は負荷回路４に接続されている。また、インダクタＬの他端は、キャパシタＣを介して回路グラウンドに接続されている。
【００２８】
分圧抵抗ＲＡ，ＲＢは、出力電圧Ｖｏｕｔを分圧することによって、出力電圧Ｖｏｕｔをフィードバック電圧Ｖｆｂに変換する。これにより、分圧抵抗ＲＡ，ＲＢは、出力電圧ＶｏｕｔをＤＣ／ＤＣコンバーター用回路モジュール２において電圧検出が可能な電圧範囲に変換する。分圧抵抗ＲＡの抵抗値をＲａ、分圧抵抗ＲＢの抵抗値をＲｂとすると、フィードバック電圧Ｖｆｂは、下記の式（１）で表される。
【００２９】
フィードバック電圧Ｖｆｂ＝Ｖｏｕｔ×｛Ｒｂ／（Ｒａ＋Ｒｂ）｝・・・（１）
ＤＣ／ＤＣコンバーター用回路モジュール２は、例えば集積回路、ハイブリッドＩＣ、プリント配線基板等によって構成されている。ＤＣ／ＤＣコンバーター用回路モジュール２は、電圧検出部２１、スイッチング制御部２２、電流検出部２３、スイッチング部ＳＷ、発振器ＯＳＣ、及び接続端子２０１，２０２，２０３，２０４を備えている。スイッチング制御部２２は、ＦＥＴ駆動制御部２２１と、スイッチングモード制御部２２２とを含む。
【００３０】
接続端子２０４は、直流の入力電圧Ｖｉｎの入力を受け付ける受電端子である。接続端子２０１，２０２は、電圧設定用抵抗ＲＬＩＭを接続可能にされている。接続端子２０１，２０２は、設定受付部の一例に相当する。接続端子２０３は、ＤＣ／ＤＣコンバーター用回路モジュール２から出力されたパルス電圧Ｖｐを平滑回路３へ出力する出力端子である。
【００３１】
接続端子２０１，２０２，２０３，２０４は、ＤＣ／ＤＣコンバーター用回路モジュール２を外部回路と電気的に接続可能なものであればよい。接続端子２０１，２０２，２０３，２０４としては、例えば集積回路やハイブリッドＩＣの接続ピン、プリント配線基板のスルーホールや配線パターン、コネクタ、端子台等、種々の接続手段を用いることができる。
【００３２】
スイッチング部ＳＷは、接続端子２０４によって受電された入力電圧Ｖｉｎをスイッチングし、そのスイッチングされた電圧を、電流検出部２３と接続端子２０３とを介して平滑回路３へ出力する。
【００３３】
スイッチング部ＳＷは、スイッチング素子Ｑ１，Ｑ２を含む。スイッチング素子Ｑ１，Ｑ２は、例えばＦＥＴ（Field Effect Transistor）である。なお、スイッチング素子Ｑ１，Ｑ２は、ＦＥＴに限られず、例えばバイポーラトランジスターでもよく、その他のスイッチング素子でもよい。
【００３４】
スイッチング素子Ｑ１のドレインは接続端子２０４に接続され、スイッチング素子Ｑ１のソースはスイッチング素子Ｑ２のドレインに接続され、スイッチング素子Ｑ２のソースは回路グラウンドに接続されている。そして、スイッチング素子Ｑ１のソースとスイッチング素子Ｑ２のドレインとの接続点Ｐ１は、電流検出部２３と接続端子２０３とを介して平滑回路３に接続されている。
【００３５】
スイッチング部ＳＷは、スイッチング素子Ｑ１がオンし、かつスイッチング素子Ｑ２がオフしているとき入力電圧Ｖｉｎを平滑回路３へ供給し、スイッチング素子Ｑ１がオフし、かつスイッチング素子Ｑ２がオンしているとき入力電圧Ｖｉｎの平滑回路３への供給を遮断する。すなわち、スイッチング部ＳＷのオン状態は、スイッチング素子Ｑ１がオン、スイッチング素子Ｑ２がオフした状態であり、スイッチング部ＳＷのオフ状態は、スイッチング素子Ｑ１がオフ、スイッチング素子Ｑ２がオンした状態である。
【００３６】
以下、スイッチング素子Ｑ１をオン、スイッチング素子Ｑ２をオフさせることを、単にスイッチング部ＳＷをオンさせる、と称し、スイッチング素子Ｑ１をオフ、スイッチング素子Ｑ２をオンさせることを、単にスイッチング部ＳＷをオフさせる、と称する。
【００３７】
発振器ＯＳＣは、例えば水晶発振器やセラミック発振器などの発振回路である。発振器ＯＳＣは、スイッチング部ＳＷによって入力電圧Ｖｉｎをスイッチングさせるための基準となるクロック信号をスイッチング制御部２２へ出力する。
【００３８】
電圧検出部２１は、フィードバック電圧Ｖｆｂを検出することによって、間接的に出力電圧Ｖｏｕｔを検出する。また、電圧検出部２１は、フィードバック電圧Ｖｆｂを、予め設定された基準電圧と比較し、その比較結果を示す信号をスイッチングモード制御部２２２へ出力する。
【００３９】
電圧検出部２１は、コンパレーターＣＭＰ１，ＣＭＰ２，ＣＭＰ３、基準電圧源Ｅ１，Ｅ２，Ｅ３、分圧抵抗ＲＣ，ＲＤ、及び抵抗ＲＥを含む。コンパレーターＣＭＰ１，ＣＭＰ２，ＣＭＰ３は、誤差アンプであってもよい。
【００４０】
基準電圧源Ｅ１，Ｅ２，Ｅ３は、予め設定された基準電圧を出力する定電圧回路である。基準電圧源Ｅ１は、基準電圧Ｖｒｅｆ１を出力する。基準電圧源Ｅ２は、基準電圧Ｖｒｅｆ２を出力する。基準電圧源Ｅ３は、基準電圧Ｖｒｅｆ３を出力する。
【００４１】
分圧抵抗ＲＣ，ＲＤは、フィードバック電圧Ｖｆｂを分圧する分圧抵抗である。分圧抵抗ＲＣ，ＲＤは、分圧抵抗ＲＡと分圧抵抗ＲＢとの接続点Ｐ２と、回路グラウンドとの間に直列に接続されている。そして、分圧抵抗ＲＣ，ＲＤの接続点Ｐ３は、接続端子２０２に接続されている。
【００４２】
接続端子２０２には、電圧設定用抵抗ＲＬＩＭの一端が接続されている。電圧設定用抵抗ＲＬＩＭの他端は、接続端子２０１に接続されている。接続端子２０１は、コンパレーターＣＭＰ１の＋側入力端子に接続されている。コンパレーターＣＭＰ１の−側入力端子には、基準電圧源Ｅ１から出力された基準電圧Ｖｒｅｆ１が入力されている。コンパレーターＣＭＰ１の出力端子と＋側入力端子との間には、コンパレーターＣＭＰ１の動作にヒステリシスを設けるための抵抗ＲＥが接続されている。コンパレーターＣＭＰ１の出力端子は、スイッチングモード制御部２２２に接続されている。電圧設定用抵抗ＲＬＩＭは、抵抗値がＲｌｉｍの抵抗素子である。
【００４３】
これにより、コンパレーターＣＭＰ１は、出力電圧Ｖｏｕｔが電圧設定用抵抗ＲＬＩＭに応じて設定された上側基準電圧Ｖｕｐｐｅｒを超えたとき、出力信号をハイレベルにすることによって、出力電圧Ｖｏｕｔが上側基準電圧Ｖｕｐｐｅｒを超えたことを示す信号をスイッチングモード制御部２２２へ出力する。
【００４４】
なお、抵抗ＲＥを備えない構成としてもよいが、抵抗ＲＥを備えることによって、ノイズによる誤動作を防止することが可能となる。電圧設定用抵抗ＲＬＩＭに基づく上側基準電圧Ｖｕｐｐｅｒの設定方法については後述する。
【００４５】
コンパレーターＣＭＰ２の−側入力端子は、分圧抵抗ＲＡ，ＲＢの接続点Ｐ２に接続され、フィードバック電圧ＶｆｂがコンパレーターＣＭＰ２の−側入力端子に入力されている。コンパレーターＣＭＰ２の＋側入力端子には、基準電圧源Ｅ２から出力された基準電圧Ｖｒｅｆ２が入力されている。基準電圧Ｖｒｅｆ２は、予め設定されたオン基準電圧Ｖｏｎと、抵抗値Ｒａ，Ｒｂとに基づき、下記の式（２）を満たす電圧にされている。
【００４６】
Ｖｒｅｆ２＝Ｖｏｎ×｛Ｒｂ／（Ｒａ＋Ｒｂ）｝・・・（２）
コンパレーターＣＭＰ２は、フィードバック電圧Ｖｆｂが基準電圧Ｖｒｅｆ２を下回ると、出力信号をハイレベルにする。フィードバック電圧Ｖｆｂは、出力電圧Ｖｏｕｔと上述の式（１）で表される関係を有しており、基準電圧Ｖｒｅｆ２は、上述の式（２）で表される関係を有している。従って、フィードバック電圧Ｖｆｂが基準電圧Ｖｒｅｆ２を下回ることは、出力電圧Ｖｏｕｔがオン基準電圧Ｖｏｎを下回ることを意味している。
【００４７】
すなわち、コンパレーターＣＭＰ２は、出力電圧Ｖｏｕｔがオン基準電圧Ｖｏｎを下回ると、出力信号をハイレベルにすることによって、出力電圧Ｖｏｕｔがオン基準電圧Ｖｏｎを下回ったことを示す信号をスイッチングモード制御部２２２へ出力する。
【００４８】
コンパレーターＣＭＰ３の−側入力端子は、分圧抵抗ＲＡ，ＲＢの接続点Ｐ２に接続され、フィードバック電圧ＶｆｂがコンパレーターＣＭＰ３の−側入力端子に入力されている。コンパレーターＣＭＰ３の＋側入力端子には、基準電圧源Ｅ３から出力された基準電圧Ｖｒｅｆ３が入力されている。基準電圧Ｖｒｅｆ３は、予め設定された下側基準電圧Ｖｌｏｗｅｒと、抵抗値Ｒａ，Ｒｂとに基づき、下記の式（３）を満たす電圧にされている。
【００４９】
Ｖｒｅｆ３＝Ｖｌｏｗｅｒ×｛Ｒｂ／（Ｒａ＋Ｒｂ）｝・・・（３）
コンパレーターＣＭＰ３は、フィードバック電圧Ｖｆｂが基準電圧Ｖｒｅｆ３を下回ると、出力信号をハイレベルにする。フィードバック電圧Ｖｆｂは、出力電圧Ｖｏｕｔと上述の式（１）で表される関係を有しており、基準電圧Ｖｒｅｆ３は、上述の式（３）で表される関係を有しているから、フィードバック電圧Ｖｆｂが基準電圧Ｖｒｅｆ３を下回ることは、出力電圧Ｖｏｕｔが下側基準電圧Ｖｌｏｗｅｒを下回ることを意味している。
【００５０】
すなわち、コンパレーターＣＭＰ３は、出力電圧Ｖｏｕｔが下側基準電圧Ｖｌｏｗｅｒを下回ると、出力信号をハイレベルにすることによって、出力電圧Ｖｏｕｔが下側基準電圧Ｖｌｏｗｅｒを下回ったことを示す信号をスイッチングモード制御部２２２へ出力する。
【００５１】
なお、コンパレーターＣＭＰ１，ＣＭＰ２，ＣＭＰ３の出力信号の論理レベルは例示であり、出力信号を上述のようにハイレベルにする代わりにローレベルにしてもよい。
【００５２】
電流検出部２３は、スイッチング部ＳＷから平滑回路３へ流れる電流、すなわち接続点Ｐ１から平滑回路３を介して負荷回路４へ流れる出力電流Ｉｏｕｔを検出する電流検出回路である。電流検出部２３は、例えばシャント抵抗や、ホール素子等の電流検出回路によって構成されている。
【００５３】
ＦＥＴ駆動制御部２２１は、例えば論理回路によって構成されている。ＦＥＴ駆動制御部２２１は、スイッチング素子Ｑ１，Ｑ２のオン、オフをそれぞれ制御することによって、スイッチング部ＳＷのオン、オフを制御する。ＦＥＴ駆動制御部２２１は、発振器ＯＳＣから出力されたクロック信号と、スイッチングモード制御部２２２からの制御信号とに基づき、スイッチング部ＳＷをオン、オフさせる周波数及びデューティ比を制御する。
【００５４】
スイッチングモード制御部２２２は、例えばステートマシンや論理回路を用いて構成された制御回路である。なお、スイッチングモード制御部２２２は、ステートマシンや論理回路を用いて構成される例に限られず、例えばマイクロコンピューターを用いて構成されていてもよい。
【００５５】
スイッチングモード制御部２２２は、ＰＷＭ（Pulse Width Modulation）モード（第２スイッチングモード）と、ＰＦＭ（Pulse Frequency Modulation）モード（第１スイッチングモード）とを実行可能にされている。
【００５６】
スイッチングモード制御部２２２は、ＰＷＭモードでは、ＦＥＴ駆動制御部２２１へ制御信号を出力することによって、スイッチング部ＳＷを、予め設定されたＰＷＭ用スイッチング周期で且つ出力電圧Ｖｏｕｔに応じたデューティ比でオン、オフさせる。
【００５７】
スイッチングモード制御部２２２は、ＰＷＭモードでは、図略の電圧検出回路によって検出された出力電圧Ｖｏｕｔ（又はフィードバック電圧Ｖｆｂ）に基づいて、出力電圧Ｖｏｕｔが予め設定された目標電圧になるように、ＦＥＴ駆動制御部２２１によってスイッチング部ＳＷをオン、オフさせるデューティ比を制御する。
【００５８】
具体的には、スイッチングモード制御部２２２は、ＰＷＭモードでは、出力電圧Ｖｏｕｔが目標電圧に満たないときは、ＦＥＴ駆動制御部２２１によって、スイッチング部ＳＷのデューティ比すなわちスイッチング部ＳＷのスイッチング周期に対するスイッチング部ＳＷがオンしている期間の比率を増大させる。また、スイッチングモード制御部２２２は、ＰＷＭモードでは、出力電圧Ｖｏｕｔが目標電圧を超えるときは、ＦＥＴ駆動制御部２２１によって、スイッチング部ＳＷのデューティ比を減少させる。
【００５９】
ＰＷＭモードによれば、スイッチング制御部は、スイッチング部ＳＷによるスイッチングのデューティ比を変化させることができる。従って、例えば負荷回路４の消費電流に変化が生じて出力電圧Ｖｏｕｔが変動した場合であっても、スイッチング部ＳＷをオン、オフさせるデューティ比を出力電圧Ｖｏｕｔに応じて変化させることによって、出力電圧Ｖｏｕｔを調節することが容易となる。
【００６０】
そして、スイッチングモード制御部２２２は、ＰＷＭモードの実行中に電流検出部２３によって検出された出力電流Ｉｏｕｔが予め設定された閾値電流Ｉｔｈを下回ったとき、ＰＷＭモードの実行を停止してＰＦＭモードの実行を開始する。閾値電流Ｉｔｈは、例えば１０ｍＡ程度の電流値にされている。
【００６１】
スイッチングモード制御部２２２は、ＰＦＭモードでは、ＦＥＴ駆動制御部２２１によって、予め設定されたＰＦＭ用スイッチング周期で、かつ予め設定されたデューティ比Ｄｐｆｍでスイッチング部ＳＷを周期的にオン、オフさせるスイッチング処理と、スイッチング処理の実行中にコンパレーターＣＭＰ１の出力信号がハイレベルになり、すなわち出力電圧Ｖｏｕｔが上側基準電圧Ｖｕｐｐｅｒを超えたとき、スイッチング部ＳＷをオフさせてスイッチング処理を停止する停止処理とを実行する。
【００６２】
また、スイッチングモード制御部２２２は、ＰＦＭモードにおいて、さらに、停止処理によるスイッチング処理の停止期間中にコンパレーターＣＭＰ２の出力信号がハイレベルになり、すなわち出力電圧Ｖｏｕｔがオン基準電圧Ｖｏｎを下回ったとき、上記スイッチング処理を開始する開始処理を実行する。
【００６３】
そして、スイッチングモード制御部２２２は、ＰＦＭモードの実行中にコンパレーターＣＭＰ３の出力信号がハイレベルになり、すなわち出力電圧Ｖｏｕｔがオン基準電圧Ｖｏｎより低い下側基準電圧Ｖｌｏｗｅｒを下回ったとき、ＰＦＭモードの実行を停止し、ＰＷＭモードの実行を開始する。
【００６４】
次に、電圧設定用抵抗ＲＬＩＭに基づく上側基準電圧Ｖｕｐｐｅｒの設定方法について説明する。
【００６５】
分圧抵抗ＲＡ，ＲＢ，ＲＣ，ＲＤの抵抗値をＲａ，Ｒｂ，Ｒｃ，Ｒｄとし、抵抗ＲＥの抵抗値をＲｅとし、電圧設定用抵抗ＲＬＩＭの抵抗値をＲｌｉｍとし、接続点Ｐ３の電圧をＵｉｎとし、コンパレーターＣＭＰ１のハイレベルの出力電圧をＶｄｄ、コンパレーターＣＭＰ１のローレベルの出力電圧を−Ｖｄｄとすると、出力電圧Ｖｏｕｔが上側基準電圧Ｖｕｐｐｅｒ以上になる条件は、下記の式（４）で示される。
【００６６】
Ｖｒｅｆ１≦（−Ｖｄｄ−Ｕｉｎ）×｛Ｒｅ／（Ｒｌｉｍ＋Ｒｅ）｝＋Ｕｉｎ  ・・・（４）
ここで、Ｒｅ／（Ｒｌｉｍ＋Ｒｅ）をＤとすると、
Ｖｒｅｆ１≦（−Ｖｄｄ−Ｕｉｎ）×Ｄ＋Ｕｉｎ
Ｕｉｎ≧（Ｖｒｅｆ１＋Ｖｄｄ×Ｄ）／（１−Ｄ）となる。
【００６７】
Ｕｉｎ＝Ｖｆｂ×｛Ｒｄ／（Ｒｃ＋Ｒｄ）｝であり、上述の式（１）からＶｆｂ＝Ｖｏｕｔ×｛Ｒｂ／（Ｒａ＋Ｒｂ）｝であることから、
Ｖｏｕｔ×｛Ｒｂ／（Ｒａ＋Ｒｂ）｝×｛Ｒｄ／（Ｒｃ＋Ｒｄ）｝≧（Ｖｒｅｆ１＋Ｖｄｄ×Ｄ）／（１−Ｄ）となる。
【００６８】
従って、
Ｖｕｐｐｅｒ＝［｛（Ｒａ＋Ｒｂ）×（Ｒｃ＋Ｒｄ）｝／（Ｒｂ×Ｒｄ×Ｒｌｉｍ）］×｛（Ｒｌｉｍ＋Ｒｅ）×Ｖｒｅｆ１＋Ｒｅ×Ｖｄｄ｝  ・・・（５）
となる。
【００６９】
すなわち、上述の式（５）に基づき、電圧設定用抵抗ＲＬＩＭの抵抗値Ｒｌｉｍを設定することによって、上側基準電圧Ｖｕｐｐｅｒを任意の電圧値に設定することができる。これにより、ＤＣ／ＤＣコンバーター用回路モジュール２を使用するユーザーは、設定受付部の一例である接続端子２０１，２０２に、上記式（５）を満たす抵抗値Ｒｌｉｍを有する電圧設定用抵抗ＲＬＩＭを接続することによって、上側基準電圧Ｖｕｐｐｅｒを任意の電圧値に設定することが可能となる。
【００７０】
また、ユーザーは、設定しようとする上側基準電圧Ｖｕｐｐｅｒに応じた抵抗値の電圧設定用抵抗ＲＬＩＭを接続端子に接続することによって、上側基準電圧Ｖｕｐｐｅｒを設定することができるので、上側基準電圧Ｖｕｐｐｅｒの設定が容易である。
【００７１】
なお、電圧設定用抵抗ＲＬＩＭの抵抗値Ｒｌｉｍに応じて上側基準電圧Ｖｕｐｐｅｒが設定される例に限らない。例えば、接続端子２０１，２０２に、ディップスイッチやロータリースイッチ等の設定スイッチを接続するようにしてもよい。そして、ＤＣ／ＤＣコンバーター用回路モジュール２は、このような設定スイッチの設定値に応じて上側基準電圧Ｖｕｐｐｅｒの設定を受け付けてもよい。
【００７２】
次に、上述のように構成されたＤＣ／ＤＣコンバーター用回路モジュール２及びＤＣ／ＤＣコンバーター１の動作について説明する。
【００７３】
図２は、図１に示すＤＣ／ＤＣコンバーター用回路モジュール２及びＤＣ／ＤＣコンバーター１の動作を説明するためのタイミングチャートである。図２は、スイッチング部ＳＷのオン、オフ状態を示す波形と、出力電流Ｉｏｕｔの電流値を示す波形と、出力電圧Ｖｏｕｔの電圧値を示す波形とを示している。
【００７４】
まず、タイミングＴ１において、スイッチングモード制御部２２２は、ＰＷＭモードを実行している。
【００７５】
スイッチングモード制御部２２２は、ＰＷＭモードでは、ＦＥＴ駆動制御部２２１へ制御信号を出力することによって、スイッチング部ＳＷを、予め設定されたＰＷＭ用スイッチング周期で且つ出力電圧Ｖｏｕｔに応じたデューティ比でオン、オフさせる。接続端子２０３から出力されたパルス電圧Ｖｐは平滑回路３によって平滑される。そして、平滑回路３により平滑されて得られた出力電圧Ｖｏｕｔがほぼ目標電圧に維持される。
【００７６】
そして、負荷回路４の消費電流が減少し、出力電流Ｉｏｕｔが閾値電流Ｉｔｈを下回ると（タイミングＴ２）、スイッチングモード制御部２２２は、ＰＷＭモードの動作を停止してＰＦＭモードの実行を開始する。
【００７７】
スイッチングモード制御部２２２は、ＰＦＭモードでは、ＦＥＴ駆動制御部２２１によって、ＰＦＭ用スイッチング周期で、かつデューティ比Ｄｐｆｍでスイッチング部ＳＷを周期的にオン、オフさせるスイッチング処理を実行する。ＰＦＭ用スイッチング周期は、ＰＷＭ用スイッチング周期以上にされている。
【００７８】
そして、出力電圧Ｖｏｕｔが上側基準電圧Ｖｕｐｐｅｒを超えるとコンパレーターＣＭＰ１の出力信号がハイレベルになる。コンパレーターＣＭＰ１の出力信号がハイレベルになると、スイッチングモード制御部２２２は、スイッチング部ＳＷをオフさせてスイッチング処理を停止する停止処理を実行する（タイミングＴ３）。
【００７９】
タイミングＴ３は、タイミングＴ３の直前でスイッチング部ＳＷがオンしたタイミングＴ４からＰＦＭ用スイッチング周期が経過したタイミング、すなわち上記スイッチング処理においてスイッチング部ＳＷがオンされるはずであったタイミングを示している。
【００８０】
タイミングＴ３では、スイッチング処理が停止され、スイッチング部ＳＷがオフされている。その結果、出力電圧Ｖｏｕｔが徐々に低下していくので、出力電圧Ｖｏｕｔが上側基準電圧Ｖｕｐｐｅｒを超えて上昇することが抑制され、出力電圧Ｖｏｕｔに上側基準電圧Ｖｕｐｐｅｒを超えるリップル電圧が生じるおそれが低減される。
【００８１】
これにより、出力電圧Ｖｏｕｔに含まれるリップル電圧が、上側基準電圧Ｖｕｐｐｅｒに基づき制限される。この場合、ユーザーが負荷回路４におけるリップル電圧の許容範囲に応じた上側基準電圧Ｖｕｐｐｅｒを設定することによって、出力電圧Ｖｏｕｔに含まれるリップル電圧が、負荷回路４の許容範囲に応じた電圧に調節される。従って、出力電圧Ｖｏｕｔに含まれるリップル電圧を、ユーザーが負荷回路４の許容範囲に応じて調節することが容易となる。
【００８２】
また、ＰＦＭモードでは、出力電圧Ｖｏｕｔが上側基準電圧Ｖｕｐｐｅｒを超えるとスイッチング部ＳＷのスイッチングが停止するので、ＰＷＭモードのようにスイッチング部ＳＷのスイッチングを常時実行する場合よりも、スイッチング部ＳＷで生じる電力損失を低減することができる。
【００８３】
タイミングＴ２に示すように、負荷回路４の消費電流が減少し、出力電流Ｉｏｕｔが閾値電流Ｉｔｈを下回ると、スイッチングモード制御部２２２は、ＰＷＭモードの動作を停止してＰＦＭモードの実行を開始することにより、負荷回路４の消費電流が減少した場合にＰＷＭモードの動作を継続する場合と比べてスイッチング部ＳＷで生じる電力損失を低減することができる。
【００８４】
そして、出力電圧Ｖｏｕｔがオン基準電圧Ｖｏｎを下回ると（タイミングＴ５）、コンパレーターＣＭＰ２の出力信号がハイレベルになる。コンパレーターＣＭＰ２の出力信号がハイレベルになると、スイッチングモード制御部２２２は、スイッチング処理を開始し、ＦＥＴ駆動制御部２２１によってスイッチング部ＳＷを周期的にオン、オフさせる。そうすると、出力電圧Ｖｏｕｔが徐々に上昇する。
【００８５】
このように、スイッチングモード制御部２２２は、停止処理によるスイッチング処理の停止期間中に出力電圧Ｖｏｕｔがオン基準電圧Ｖｏｎを下回ったとき、スイッチング処理を開始するので、出力電圧Ｖｏｕｔを、オン基準電圧Ｖｏｎと上側基準電圧Ｖｕｐｐｅｒとの間の電圧範囲に維持することが可能となる。
【００８６】
そして、出力電圧Ｖｏｕｔが上側基準電圧Ｖｕｐｐｅｒを超えると（タイミングＴ６）、コンパレーターＣＭＰ１の出力信号がハイレベルになる。コンパレーターＣＭＰ１の出力信号がハイレベルになると、スイッチングモード制御部２２２は、スイッチング部ＳＷをオフさせてスイッチング処理を停止させる。
【００８７】
スイッチング処理が停止され、スイッチング部ＳＷがオフされると、出力電圧Ｖｏｕｔが徐々に低下する。そして、出力電圧Ｖｏｕｔがオン基準電圧Ｖｏｎを下回ると（タイミングＴ７）、コンパレーターＣＭＰ２の出力信号がハイレベルになる。コンパレーターＣＭＰ２の出力信号がハイレベルになると、スイッチングモード制御部２２２は、スイッチング処理を開始し、ＦＥＴ駆動制御部２２１によってスイッチング部ＳＷを周期的にオン、オフさせる。
【００８８】
ここで、図２においては、タイミングＴ７後の期間において、負荷回路４の消費電流が増大した状態を示している。ＰＦＭ用スイッチング周期で、かつデューティ比がＤｐｆｍに固定されたＰＦＭモードでは、負荷回路４に対して供給できる出力電流Ｉｏｕｔが一定の電流以下に制限される。そのため、タイミングＴ７からタイミングＴ８までの期間では、出力電流Ｉｏｕｔが負荷回路４の消費電流に対して不足しているために、スイッチング部ＳＷをスイッチングさせているにもかかわらず、出力電圧Ｖｏｕｔが徐々に低下している。
【００８９】
そして、出力電圧Ｖｏｕｔが下側基準電圧Ｖｌｏｗｅｒを下回ると（タイミングＴ８）、コンパレーターＣＭＰ３の出力信号がハイレベルになる。コンパレーターＣＭＰ３の出力信号がハイレベルになると、スイッチングモード制御部２２２は、ＰＦＭモードの実行を停止し、ＰＷＭモードの実行を開始する。
【００９０】
ＰＷＭモードでは、スイッチングモード制御部２２２は、スイッチング部ＳＷを出力電圧Ｖｏｕｔに応じたデューティ比でオン、オフさせる。従って、負荷回路４の消費電流が増大して出力電圧Ｖｏｕｔが低下した場合であっても、スイッチングモード制御部２２２は、スイッチング部ＳＷをオン、オフさせるデューティ比を増大させることによって、出力電流ＩｏｕｔをＰＦＭモードの実行時よりも増大させ、出力電圧Ｖｏｕｔを上昇させることができる。
【００９１】
このように、スイッチングモード制御部２２２は、ＰＦＭモードの実行中に出力電圧Ｖｏｕｔがオン基準電圧Ｖｏｎより低い下側基準電圧Ｖｌｏｗｅｒを下回ったとき、ＰＦＭモードの実行を停止し、ＰＷＭモードの実行を開始することによって、負荷回路４の消費電流が増大した場合であっても、出力電圧Ｖｏｕｔを上昇させることが可能となる。
【００９２】
ここで、ＰＦＭモードでは、スイッチング周期が常に一定のＰＷＭモードとは異なり、タイミングＴ４〜Ｔ５の間隔Ｔｗ１や、タイミングＴ６〜Ｔ７の間隔Ｔｗ２のように、スイッチング間隔が大きくなる場合がある。スイッチング間隔が大きくなると、出力電圧Ｖｏｕｔのリップル電圧が増大する。一方、スイッチング間隔を小さくすると、スイッチング部ＳＷのスイッチング頻度が増大するためにスイッチング部ＳＷで生じる電力損失が増大する。
【００９３】
負荷回路４が許容できる範囲であれば、出力電圧Ｖｏｕｔのリップル電圧は、増大しても不都合はない。そこで、スイッチング部ＳＷで生じる電力損失を低減させる観点から、出力電圧Ｖｏｕｔのリップル電圧が負荷回路４の許容範囲の上限近い電圧になるまで、ＰＦＭモードにおけるスイッチング間隔を増大させることが望ましい。
【００９４】
出力電圧Ｖｏｕｔのリップル電圧は、上側基準電圧Ｖｕｐｐｅｒが高いほど高くなり、上側基準電圧Ｖｕｐｐｅｒが低いほど低くなる。従って、上側基準電圧Ｖｕｐｐｅｒを高い電圧値に設定すれば、リップル電圧は増大する代わりにスイッチング部ＳＷで生じる電力損失を低減することができる。一方、上側基準電圧Ｖｕｐｐｅｒを低い電圧値に設定すれば、スイッチング部ＳＷで生じる電力損失は増大する代わりにリップル電圧を低減することができる。
【００９５】
従って、上側基準電圧Ｖｕｐｐｅｒを、負荷回路４が許容できるリップル電圧の上限に応じた電圧値に設定することによって、リップル電圧の負荷回路４への悪影響を抑制しつつ、スイッチング部ＳＷで生じる電力損失を低減することが可能となる。
【００９６】
しかしながら、負荷回路４が許容できるリップル電圧の範囲は、ＤＣ／ＤＣコンバーター１に接続される負荷回路４の種類や仕様によって様々である。そのため、上側基準電圧Ｖｕｐｐｅｒが固定値の場合、リップル電圧が負荷回路４の許容範囲を超えて負荷回路４の誤動作を生じるおそれがある。また、負荷回路４の許容範囲に対して必要以上にリップル電圧が小さくされ、スイッチング部ＳＷで生じる電力損失が増大するおそれもある。
【００９７】
そこで、図１に示すＤＣ／ＤＣコンバーター１は、ユーザーが、電圧設定用抵抗ＲＬＩＭの抵抗値Ｒｌｉｍを適宜設定することによって、上側基準電圧Ｖｕｐｐｅｒを、負荷回路４が許容できるリップル電圧の上限に応じた電圧値に容易に設定可能にされている。その結果、リップル電圧の負荷回路４への悪影響を抑制しつつ、スイッチング部ＳＷで生じる電力損失を低減することが容易である。
【００９８】
図３は、上側基準電圧Ｖｕｐｐｅｒを上昇させることによりスイッチング間隔が広がることを説明するためのタイミングチャートである。図３に示すタイミングチャートは、上側基準電圧Ｖｕｐｐｅｒを、図２に示すタイミングチャートにおける上側基準電圧Ｖｕｐｐｅｒよりも高い電圧に設定した場合のＤＣ／ＤＣコンバーター１の動作を示している。
【００９９】
図３に示すタイミングＴ１〜Ｔ５におけるＤＣ／ＤＣコンバーター１の動作は、図２に示すタイミングＴ１〜Ｔ５におけるＤＣ／ＤＣコンバーター１の動作と同様である。
【０１００】
図３に示すタイミングチャートによれば、上側基準電圧Ｖｕｐｐｅｒを図２に示すタイミングチャートよりも高い電圧に設定することによって、図２に示すタイミングチャートにおけるスイッチング間隔Ｔｗ１よりも、図３に示すタイミングチャートにおけるスイッチング間隔Ｔｗ３の方が大きくなることがわかる。
【０１０１】
なお、電圧検出部２１は必ずしもコンパレーターＣＭＰ２及び基準電圧源Ｅ２を含んでいなくてもよく、ＰＦＭモードには、必ずしも開始処理が含まれていなくてもよい。また、電圧検出部２１は必ずしもコンパレーターＣＭＰ３及び基準電圧源Ｅ３を含んでいなくてもよく、スイッチング制御部２２は出力電圧Ｖｏｕｔが下側基準電圧Ｖｌｏｗｅｒを下回ったとき、必ずしもＰＦＭモードからＰＷＭモードへ切り替えなくてもよい。また、電流検出部２３を備えず、スイッチング制御部２２は、電流検出部２３により検出された電流が閾値電流Ｉｔｈを下回ったとき、必ずしもＰＷＭモードからＰＦＭモードへ切り替えなくてもよい。また、スイッチング制御部２２は、ＰＷＭモードを実行しなくてもよい。
【符号の説明】
【０１０２】
１  ＤＣ／ＤＣコンバーター
２  ＤＣ／ＤＣコンバーター用回路モジュール
３  平滑回路
４  負荷回路
２１  電圧検出部
２２  スイッチング制御部
２３  電流検出部
２０１，２０２接続端子（設定受付部）
２０３，２０４  接続端子
２２１  ＦＥＴ駆動制御部
２２２  スイッチングモード制御部
Ｃ  キャパシタ
ＣＭＰ１，ＣＭＰ２，ＣＭＰ３  コンパレーター
Ｄｐｆｍ  デューティ比
Ｅ１，Ｅ２，Ｅ３  基準電圧源
Ｉｏｕｔ  出力電流
Ｉｔｈ  閾値電流
Ｌ  インダクタ
ＯＳＣ  発振器
Ｑ１，Ｑ２  スイッチング素子
ＲＡ，ＲＢ，ＲＣ  分圧抵抗
ＲＥ  抵抗
ＲＬＩＭ  電圧設定用抵抗
ＳＷ  スイッチング部
Ｖｆｂ  フィードバック電圧
Ｖｉｎ  入力電圧
Ｖｌｏｗｅｒ  下側基準電圧
Ｖｏｎ  オン基準電圧
Ｖｏｕｔ  出力電圧
Ｖｐ  パルス電圧
Ｖｒｅｆ１，Ｖｒｅｆ２，Ｖｒｅｆ３  基準電圧
Ｖｕｐｐｅｒ  上側基準電圧
【図１】
2014217164.tif 000003
【図２】
2014217164.tif 000004
【図３】
2014217164.tif 000005